(57)【要約】【課題】  個人が自宅で簡単にサーバを公開することができる装置を提供する。【解決手段】  通信端末装置は、インターネットに接続可能なインターネット接続部と、ＩＰ電話網に接続可能なＩＰ電話接続部と、該ＩＰ電話接続部を介して接続要求端末からインターネット接続許可要求を受信したときインターネット接続用の識別子を送信する識別子送信部と、を有する。また、通信端末装置がサーバ機能を有していない場合には、接続要求端末からのインターネット接続許可要求をサーバ用コンピュータに転送してもよい。【選択図】  図１
2005167837.tif 000002
【特許請求の範囲】
【請求項１】
インターネットに接続可能なインターネット接続部と、ＩＰ電話網に接続可能なＩＰ電話接続部と、該ＩＰ電話接続部を介して接続要求端末からインターネット接続許可要求を受信したときインターネット接続用の識別子を送信する識別子送信部と、を有することを特徴とする通信端末装置。
【請求項２】
請求項１記載の通信端末装置において、更にＷｅｂサーバの機能を有するサーバ部を有し、該サーバ部は、上記識別子送信部が送信した識別子によって接続要求端末からインターネット接続許可要求があったとき、該接続要求端末に対してＷｅｂページへのアクセスを許可することを特徴とする通信端末装置。
【請求項３】
請求項２記載の通信端末装置において、上記サーバ部は、ＩＰ電話網によってのみ、接続要求端末からインターネット接続許可要求を受信することを特徴とする通信端末装置。
【請求項４】
請求項１記載の通信端末装置において、複数の識別子を格納した識別子格納部と、該識別子格納部に格納された識別子より最適な識別子を選択する識別子選択部と、を有し、上記識別子送信部は接続要求端末に上記識別子選択部が選択した識別子を送信することを特徴とする通信端末装置。
【請求項５】
請求項１記載の通信端末装置において、上記ＩＰ電話接続部を介して接続要求端末からのインターネット接続許可要求を受信すると、該接続要求端末の電話番号を検出する接続要求者解析部を設け、上記識別子選択部は、上記接続要求者解析部によって検出された上記接続要求端末の電話番号に基づいて最適な識別子を選択することを特徴とする通信端末装置。
【請求項６】
請求項５記載の通信端末装置において、上記ＩＰ電話接続部にはＩＰ電話網より複数の電話番号が割り当てられ、上記接続要求者解析部は、上記接続要求端末が使用した宛先の電話番号を検出し、上記識別子選択部は、上記接続要求者解析部によって検出された上記接続要求端末が使用した宛先の電話番号に基づいて最適な識別子を選択することを特徴とする通信端末装置。
【請求項７】
請求項１記載の通信端末装置において、上記ＩＰ電話接続部を介して接続要求端末からのインターネット接続許可要求を受信すると、現在時刻を検出する時刻判定部を設け、上記識別子選択部は、上記時刻判定部によって検出された現在時刻に基づいて最適な識別子を選択することを特徴とする通信端末装置。
【請求項８】
請求項１記載の通信端末装置において、上記ＩＰ電話接続部を介して接続要求端末からのインターネット接続許可要求を受信すると、現在位置を検出する位置判定部を設け、上記識別子選択部は、上記位置判定部によって検出された現在位置に基づいて最適な識別子を選択することを特徴とする通信端末装置。
【請求項９】
請求項１記載の通信端末装置において、接続要求端末からのインターネット接続許可要求を受信すると、該インターネット接続許可要求を所定のサーバ用コンピュータに転送する接続許可要求転送部を設けたことを特徴とする通信端末装置。
【請求項１０】
請求項９記載の通信端末装置において、接続要求端末からのインターネット接続許可要求を所定のサーバ用コンピュータに転送することができない場合に、接続要求端末に対して、サーバ用コンピュータへのインターネット接続が不可である旨を通知することを特徴とする通信端末装置。
【請求項１１】
請求項１記載の通信端末装置において、上記識別子はＩＰアドレス、ＵＲＬ、メールアドレスを含むことを特徴とする通信端末装置。
【発明の詳細な説明】
【技術分野】
【０００１】
本発明は、ＩＰ電話を介してインターネットに接続する技術に関し、特に、ＩＰ電話を介してＷｅｂサーバに接続する技術に関する。
【背景技術】
【０００２】
一般に、インターネットにwebサーバを公開する場合、様々な手続き及び作業が必要であり、個人が気軽にサーバを公開することは難しい。例えば、サーバのURLをＩＰアドレスに変換するためにDNSへの登録が必要である。また、サーバのＩＰアドレスがDHCPなどで動的に割り与えられる場合、接続毎にＩＰアドレスを更新し、DNS登録を更新する必要がある。DNS登録を動的に更新する技術として、ダイナミックDNSがあるが、ダイナミックDNSを利用するためには、ダイナミックDNSサービスを提供する専門の業者に委託しなければならない。
【０００３】
特開2001-282665号公報には、サーバのＵＲＬを入力する代わりに電話番号を入力することにより、ホームページの閲覧することができるシステムが記載されている。このシステムでは、電話番号をＵＲＬ又はメールアドレスに変換する変換サイトが設けられている。ユーザは、変換サイトにアクセスし電話番号を入力することにより、希望するURLを取得することができる。
【０００４】
また特開2003-18294号公報に記載された例では、電話番号とその識別子を対応付けるデータベースが用意されており、このデータベースを参照することにより、目的の識別子を取得することができる。
【０００５】
【特許文献１】特開2001-282665号公報
【特許文献２】特開2003-18294号公報
【発明の開示】
【発明が解決しようとする課題】
【０００６】
特開2001-282665号公報に記載された例では、ユーザは簡単にホームページを閲覧することができるが、ユーザが簡単にwebサーバを公開することはできない。
本発明は、誰でも簡単にインターネットにwebサーバを公開することができる技術を提供することにある。
【課題を解決するための手段】
【０００７】
本発明によると、通信端末装置は、インターネットに接続可能なインターネット接続部と、ＩＰ電話網に接続可能なＩＰ電話接続部と、該ＩＰ電話接続部を介して接続要求端末からインターネット接続許可要求を受信したときインターネット接続用の識別子を送信する識別子送信部と、を有する。また、通信端末装置がサーバ機能を有していない場合には、接続要求端末からのインターネット接続許可要求をサーバ用コンピュータに転送してもよい。
【発明の効果】
【０００８】
本発明によると、誰でも簡単にインターネットにwebサーバを公開することができる。
【発明を実施するための最良の形態】
【０００９】
図１を参照して本発明による通信端末装置１０を含む通信ネットワークの例を示す。図示のように、通信ネットワークは、本発明による通信端末装置１０、接続要求端末２０、ＩＰ電話網３０、及び、インターネット４０を含む。通信端末装置１０及び接続要求端末２０は、ＩＰ電話網３０及びインターネット４０を介して互いに接続可能である。通信端末装置１０には、ＩＰ電話網３０より電話番号が与えられており、インターネット４０より識別子が与えられている。ここに、識別子は、ＩＰアドレス、ＵＲＬ、メールアドレス等であってよい。
【００１０】
図２を参照して、本発明による通信端末装置１０の第１の例の構成を説明する。本例の通信端末装置１０は、ＩＰ電話網３０に接続可能なＩＰ電話接続部１０１、インターネット４０に接続可能なインターネット接続部１０２、ＩＰ電話接続部１０１を介して接続要求端末２０に識別子を送信する識別子送信部１０３、及び、サーバの機能を有するサーバ部１０４を有する。本例では、サーバ部１０４は、接続要求端末２０に対してｗｅｂサーバとして機能する。
【００１１】
図３を参照して、接続要求端末２０が通信端末装置１０のｗｅｂサーバにインターネットを介して接続する動作を説明する。ステップＳ１０１にて、接続要求端末２０は、ＩＰ電話網３０を介して、通信端末装置１０の電話番号に対してインターネット接続許可要求、即ち、識別子要求を送信する。ステップＳ１０２にて、通信端末装置１０は、ＩＰ電話接続部１０１を介して、接続要求端末２０からのインターネット接続許可要求（識別子要求）を受信する。ステップＳ１０３にて、通信端末装置１０は、ＩＰ電話網３０を介して、接続要求端末２０に、インターネット接続許可（識別子）を送信する。即ち、通信端末装置１０の識別子送信部１０３は、現在、通信端末装置１０に割り当てられている識別子を検出し、それを、ＩＰ電話接続部１０１を介して、接続要求端末２０に送信する。ステップＳ１０４にて、接続要求端末２０は、通信端末装置１０からのインターネット接続許可（識別子）を受信する。
【００１２】
ステップＳ１０５にて、接続要求端末２０は、インターネット４０を介して、通信端末装置１０の識別子により、通信端末装置１０に、インターネット接続要求を送信する。ステップＳ１０６にて、通信端末装置１０は、インターネット接続要求を受信する。ステップＳ１０７にて、通信端末装置１０は、返答として、インターネット接続許可（識別子）を接続要求端末２０に送信する。ステップＳ１０８にて、接続要求端末２０は、インターネット接続許可（識別子）を受信する。それにより、ステップＳ１０９、Ｓ１１０にて、接続要求端末２０と通信端末装置１０の間で、インターネット４０を介した通信が確立する。接続要求端末２０は、通信端末装置１０が提供しているｗｅｂページを閲覧することができる。
【００１３】
図４を参照して、本発明による通信端末装置１０の第２の例の構成を説明する。本例の通信端末装置１０は、ＩＰ電話網３０に接続可能なＩＰ電話接続部１０１、インターネット４０に接続可能なインターネット接続部１０２、ＩＰ電話接続部１０１を介して接続要求端末２０に識別子を送信する識別子送信部１０３、サーバの機能を有するサーバ部１０４、複数の識別子を格納した識別子格納部１１０、識別子格納部１１０に格納された識別子より最適な識別子を選択する識別子選択部１１１、接続要求者解析部１２１、時刻判定部１２２及び位置判定部１２３を有する。本例の通信端末装置は、図２に示した第１の例と比較して、識別子格納部１１０、識別子選択部１１１、接続要求者解析部１２１、時刻判定部１２２及び位置判定部１２３を設け、それによりセキュリティの確保を得ることができる点が異なる。
【００１４】
接続要求者解析部１２１は、接続要求端末２０からのインターネット接続許可要求（識別子要求）を受信すると、接続要求端末２０の電話番号を検出し、その電話番号のユーザに関する情報をユーザ情報データベース（図示なし）から検出する。更に、通信端末装置１０は、ＩＰ電話網３０より複数の電話番号が与えられてよい。この場合、接続要求端末２０が使用した、通信端末装置１０の電話番号により、接続要求端末２０のユーザを特定する。
【００１５】
時刻判定部１２２は、現在時刻を検出する。時刻判定部１２２は、例えば、時計機能を有してよく、又は、インターネット４０を介して、時刻提供サーバから現在時刻を取得してよい。位置判定部１２３は、通信端末装置１０の現在位置を検出する。位置判定部１２３は、例えば、ＧＰＳ（Global  Positioning  System）装置であってよい。
【００１６】
本例によると、識別子選択部１１１は、接続要求者解析部１２１からの接続要求者に関する情報、時刻判定部１２２からの時刻情報及び位置判定部１２３からの位置情報に基いて、接続要求端末２０にインターネット接続許可（識別子）を送信するか否かの判断を行う。インターネット接続許可（識別子）を送信しないと判断した場合、その旨を接続要求端末２０に送信する。インターネット接続許可（識別子）を送信すると判断した場合、識別子選択部１１１は、接続要求者解析部１２１、時刻判定部１２２及び位置判定部１２３からの情報に基いて、識別子格納部１１０より、最適な識別子を検出し、それを、接続要求端末２０に送信する。これにより、セキュリティの確保が可能となる。
【００１７】
本例によると、通信端末装置１０は、ＩＰ電話網３０を介してのみｗｅｂページにアクセスすることができるように構成されてよい。即ち、接続要求端末２０は、先ず、ＩＰ電話網３０を介してｗｅｂページにアクセスする。それによって、通信端末装置１０は、ｗｅｂページにアクセスする接続要求端末２０を特定することができるから、セキュリティの確保が可能となる。
【００１８】
例えば、接続要求端末２０の電話番号別に個別のｗｅｂサイトを公開することができる。それにより、インターネットにおいて、ＩＰアドレス別にフィルタリングを適用するのと同様な効果が得られる。また、固定電話における指定番号着信拒否機能等と同様のフィルタリング機能を実現することができる。
【００１９】
本例では、時刻判定部１２２及び位置判定部１２３を設けるから、時刻情報及び位置情報に応じて通信環境を変更することが可能となる。
【００２０】
図５を参照して本発明による通信端末装置１０を含む通信ネットワークの第２の例を説明する。本例の通信ネットワークは、本発明による通信端末装置１０、通信端末装置１０に接続されたサーバ用コンピュータ１１、通信端末装置に接続された電話機１２、接続要求端末２０、ＩＰ電話網３０、及び、インターネット４０を含む。
【００２１】
図６を参照して、本発明による通信端末装置１０の第３の例の構成を説明する。本例の通信端末装置１０は、ＩＰ電話網３０に接続可能なＩＰ電話接続部１０１、インターネット４０に接続可能なインターネット接続部１０２、接続要求端末２０からのインターネット接続許可要求をサーバ用コンピュータ１１に転送する接続許可要求転送部１０６、及び、ルータの機能を有するルータ部１０５を有する。本例では、通信端末装置１０はサーバの機能は有さない。その代わり、ルータ部１０５を介して、サーバ用コンピュータ１１及び電話機１２に直接接続されている。
【００２２】
図７を参照して、接続要求端末２０がサーバ用コンピュータ１１のｗｅｂサーバにインターネットを介して接続する動作を説明する。ステップＳ２０１にて、接続要求端末２０は、ＩＰ電話網３０を介して、通信端末装置１０の電話番号に対してインターネット接続許可要求、即ち、識別子要求を送信する。ステップＳ２０２にて、通信端末装置１０は、ＩＰ電話接続部１０１を介して、接続要求端末２０からのインターネット接続許可要求（識別子要求）を受信する。ステップＳ２０３にて、通信端末装置１０は、接続要求端末２０からのインターネット接続許可要求（識別子要求）を、サーバ用コンピュータ１１に転送する。ステップＳ２０４にて、サーバ用コンピュータ１１は、通信端末装置１０から転送された、接続要求端末２０からのインターネット接続許可要求（識別子要求）を受信する。ステップＳ２０５にて、サーバ用コンピュータ１１は、ＩＰ電話網３０を介して、接続要求端末２０に、インターネット接続許可（識別子）を送信する。即ち、サーバ用コンピュータ１１は、現在、サーバ用コンピュータ１１に割り当てられている識別子を検出し、それを、ＩＰ電話接続部１０１を介して、接続要求端末２０に送信する。ステップＳ２０６にて、接続要求端末２０は、サーバ用コンピュータ１１からのインターネット接続許可（識別子）を受信する。
【００２３】
ステップＳ２０７にて、接続要求端末２０は、インターネット４０を介して、サーバ用コンピュータ１１の識別子により、サーバ用コンピュータ１１に、インターネット接続要求を送信する。ステップＳ２０８にて、サーバ用コンピュータ１１は、インターネット接続要求を受信する。ステップＳ２０９にて、サーバ用コンピュータ１１は、返答として、インターネット接続許可（識別子）を接続要求端末２０に送信する。ステップＳ２１０にて、接続要求端末２０は、インターネット接続許可（識別子）を受信する。それにより、ステップＳ２１１、Ｓ２１２にて、接続要求端末２０とサーバ用コンピュータ１１の間で、インターネット４０を介した通信が確立する。接続要求端末２０は、サーバ用コンピュータ１１が提供しているｗｅｂページを閲覧することができる。
【００２４】
ステップＳ２０３にて、通信端末装置１０は、接続要求端末２０からのインターネット接続許可要求（識別子要求）を、サーバ用コンピュータ１１に転送した。しかしながら、サーバ用コンピュータ１１が、電源がオフ、機能ダウン等の理由により、通信不能な場合には、サーバ用コンピュータ１１に代わって、通信端末装置１０が、接続要求端末２０に、接続不可及びその理由を送信する。更に、通信端末装置１０は、ルータ部１０５を介して接続された電話機１２のリングを鳴らしてよい。それにより、サーバ用コンピュータ１１の管理者は、サーバ用コンピュータ１１の電源をオンにすることができる。
【００２５】
尚、本例の通信端末装置１０又はサーバ用コンピュータ１１は、図４の通信端末装置１０が有する接続要求者解析部１２１、識別子格納部１１０、時刻判定部１２３及び位置判定部１２３を有してよい。それにより、セキュリティの確保が可能となる。
【００２６】
以上、本発明の例を説明したが、本発明は上述の例に限定されるものではなく、特許請求の範囲に記載された発明の範囲にて様々な変更が可能であることは当業者に容易に理解されよう。
【図面の簡単な説明】
【００２７】
【図１】本発明による通信端末装置を含む通信ネットワークの第１の例を示す図である。
【図２】本発明による通信端末装置の第１の例を示す図である。
【図３】図１の通信ネットワークにおいて接続要求端末から通信端末装置に接続する手順を示す図である。
【図４】本発明による通信端末装置の第２の例を示す図である。
【図５】本発明による通信端末装置を含む通信ネットワークの第２の例を示す図である。
【図６】本発明による通信端末装置の第３の例を示す図である。
【図７】図５の通信ネットワークにおいて接続要求端末から通信端末装置に接続する手順を示す図である。
【符号の説明】
【００２８】
１０…通信端末装置、１１…サーバ用コンピュータ、１２…電話機、２０…接続要求端末、３０…ＩＰ電話網、４０…インターネット
【図１】
2005167837.tif 000003
【図２】
2005167837.tif 000004
【図３】
2005167837.tif 000005
【図４】
2005167837.tif 000006
【図５】
2005167837.tif 000007
【図６】
2005167837.tif 000008
【図７】
2005167837.tif 000009